(57)【特許請求の範囲】
【請求項１】
液化ガス貯蔵タンクと、
前記液化ガス貯蔵タンクからの液化ガス燃料を気化してガス燃料エンジンに供給する供給気化器と、
ヒータと前記ガス燃料エンジンの回転により駆動する機付ポンプとを介在し、前記ガス燃料エンジンからの機関冷却水を、前記供給気化器に通して、前記ガス燃料エンジンに返送する機関冷却水循環路と、
前記機付ポンプを迂回するバイパス路と、
前記機付ポンプを迂回するバイパス路または前記機関冷却水循環路の他のバイパス路に設けられ、前記機付ポンプが停止中に前記機付ポンプを迂回して機関冷却水を循環移送する電動ポンプと、
を備えたことを特徴とする船舶推進ガス燃料エンジンの液化ガス供給装置。
【請求項２】
液化ガス貯蔵タンクと、
前記液化ガス貯蔵タンク内を昇圧するタンク昇圧気化器と、
液化ガス貯蔵タンクからの液化ガス燃料を気化してガス燃料エンジンに供給する供給気化器と、
前記ガス燃料エンジンの回転により駆動する機付ポンプを介在し、該ガス燃料エンジンからの機関冷却水を、前記タンク昇圧気化器と前記供給気化器とに並列又は直列に通して、該ガス燃料エンジンに返送する機関冷却水循環路と、
海水を冷媒とするクーラを介在し、前記機関冷却水循環路に設けられる機関冷却水の冷却バイパス路と、
ヒータを介在し、前記機関冷却水循環路に設けられる機関冷却水の加熱バイパス路と、
前記機付ポンプを迂回するバイパス路または前記冷却バイパス路を除く前記機関冷却水循環路の他のバイパス路に設けられ、前記機付ポンプが停止中に当該機付ポンプを迂回して機関冷却水を循環移送する電動ポンプと、
を備えたことを特徴とする船舶推進ガス燃料エンジンの液化ガス供給装置。
【請求項３】
液化ガス貯蔵タンクと、
前記液化貯蔵タンク内を昇圧するタンク昇圧気化器と、
液化ガス貯蔵タンクからの液化ガス燃料を気化してガス燃料エンジンに供給する供給気化器と、
前記ガス燃料エンジンの回転により駆動する機付ポンプを介在し、該ガス燃料エンジンからの機関冷却水を、前記タンク昇圧気化器と前記供給気化器とに並列又は直列に通して、該ガス燃料エンジンに返送する機関冷却水循環路と、を備え、
海水を冷媒とするクーラを介在した機関冷却水の冷却バイパス路と、ヒータを介在した機関冷却水の加熱バイパス路とが、前記機関冷却水循環路の前記タンク昇圧気化器と前記供給気化器の下流側に設けられ、
前記機付ポンプが停止中に機関冷却水を循環移送する電動ポンプが、当該機付ポンプを迂回するバイパス路または前記冷却バイパス路を除く前記機関冷却水循環路の他のバイパス路に設けられたことを特徴とする船舶推進ガス燃料エンジンの液化ガス供給装置。
【請求項４】
液化ガス貯蔵タンクと、
前記液化貯蔵タンク内を昇圧するタンク昇圧気化器と、
液化ガス貯蔵タンクからの液化ガス燃料を気化してガス燃料エンジンに供給する供給気化器と、
前記ガス燃料エンジンの回転により駆動する機付ポンプを介在し、該ガス燃料エンジンからの機関冷却水を、前記タンク昇圧気化器と前記供給気化器とに並列又は直列に通して、該ガス燃料エンジンに返送する機関冷却水循環路と、を備え、
海水を冷媒とするクーラを介在した機関冷却水の冷却バイパス路と、ヒータを介在した機関冷却水の加熱バイパス路とが、前記機関冷却水循環路の前記タンク昇圧気化器と前記供給気化器の上流側に設けられ、
前記機付ポンプが停止中に機関冷却水を循環移送する電動ポンプが、当該機付ポンプを迂回するバイパス路または前記冷却バイパス路を除く前記機関冷却水循環路の他のバイパス路に設けられたことを特徴とする船舶推進ガス燃料エンジンの液化ガス供給装置。
【請求項５】
液化ガス貯蔵タンクと、
前記液化貯蔵タンク内を昇圧するタンク昇圧気化器と、
液化ガス貯蔵タンクからの液化ガス燃料を気化してガス燃料エンジンに供給する供給気化器と、
前記ガス燃料エンジンの回転により駆動する機付ポンプを介在し、該ガス燃料エンジンからの機関冷却水を、前記タンク昇圧気化器と前記供給気化器とに並列又は直列に通して、該ガス燃料エンジンに返送する機関冷却水循環路と、を備え、
海水を冷媒とするクーラを介在した機関冷却水の冷却バイパス路が前記機関冷却水循環路の前記タンク昇圧気化器と前記供給気化器の下流側に設けられ、
ヒータを介在した機関冷却水の加熱バイパス路が、前記機関冷却水循環路の前記タンク昇圧気化器と前記供給気化器の上流側に設けられ、
前記機付ポンプが停止中に機関冷却水を循環移送する電動ポンプが、当該機付ポンプを迂回するバイパス路または前記冷却バイパス路を除く前記機関冷却水循環路の他のバイパス路に設けられたことを特徴とする船舶推進ガス燃料エンジンの液化ガス供給装置。
【請求項６】
液化ガス貯蔵タンクと、
前記液化貯蔵タンク内を昇圧するタンク昇圧気化器と、
液化ガス貯蔵タンクからの液化ガス燃料を気化してガス燃料エンジンとしてのデュアルフューエルエンジンに供給する供給気化器と、
前記デュアルフューエルエンジンの回転により駆動する機付ポンプを介在し、該デュアルフューエルエンジンからの機関冷却水を、前記タンク昇圧気化器と前記供給気化器とに並列又は直列に通して、該ガス燃料エンジンに返送する機関冷却水循環路と、
海水を冷媒とするクーラを介在し、前記機関冷却水循環路に設けられた機関冷却水の冷却バイパス路と、
機関冷却水を循環移送する電動ポンプとヒータとを介在し、前記機関冷却水循環路の前記タンク昇圧気化器と前記供給気化器と機付ポンプとを迂回する機関冷却水の加熱バイパス路と、
を備えることを特徴とする船舶推進ガス燃料エンジンの液化ガス供給装置。
【請求項７】
液化ガス貯蔵タンクのタンク上部にあるガス状態の液化ガス燃料のみを前記供給気化器に供給する燃料ガスラインを備えたことを特徴とする請求項１〜６のいずれか１項に記載の船舶推進ガス燃料エンジンの液化ガス供給装置。
【請求項８】
前記機付ポンプの吐出側の前記機関冷却水循環路と、前記機付ポンプを迂回するバイパス路とに、それぞれ逆止弁を介在させた後、合流させることを特徴とする請求項１〜７のいずれか１項に記載の船舶推進ガス燃料エンジンの液化ガス供給装置。
【請求項９】
前記機関冷却水循環路に、機関冷却水中の気体を除くと共に該機関冷却水の温度による容積の膨脹・収縮を吸収する脱気膨脹タンクが介在していることを特徴とする請求項１〜８のいずれか１項に記載の船舶推進ガス燃料エンジンの液化ガス供給装置。
【請求項１０】
供給気化器とガス燃料エンジンとの間にバッファタンクが設けられ、該バッファタンクが、ガス燃料エンジンの定格負荷運転で３分間に消費する燃料ガスの量と同等以上の容量を有することを特徴とする請求項１〜９のいずれか１項に記載の船舶推進ガス燃料エンジンの液化ガス供給装置。
【請求項１１】
ガス燃料エンジンの起動前において、該ガス燃料エンジンの出口での機関冷却水の温度がＴＬ( ４５℃以上５５℃未満の範囲の内の所定温度) 又はＴＬ未満である場合、電動ポンプとヒータとを起動して該ヒータに機関冷却水を流して該機関冷却水を加温し、前記ガス燃料エンジンの出口での機関冷却水の温度がＴＨ( ５５℃以上６４℃未満の範囲の内の所定温度) である場合、少なくともヒータを停止状態に保持し、
前記ガス燃料エンジンの起動後における前記ガス燃料エンジンの出口での機関冷却水の温度がＴＦ( ７５℃以上９０℃未満の範囲の内の所定温度) となるようにクーラに流れる機関冷却水量を調整することを特徴とする請求項１〜１０のいずれか１項に記載の船舶推進ガス燃料エンジンの液化ガス供給装置。
【発明の詳細な説明】
【技術分野】
【０００１】
本発明は、船舶推進用のガス燃料エンジン（デュアルフューエルエンジン及びガス専焼エンジン）に、液化ガスから生成した燃料ガスを効率的かつ安全に供給することができる液化ガス供給装置に関するものである。
【背景技術】
【０００２】
特許文献１には、浮動型ＬＮＧ貯蔵及び再ガス化ユニットの発明が開示されている。この発明に係る浮動型ＬＮＧ貯蔵及び再ガス化ユニットは、ＬＮＧ貯蔵タンク２と、動力装置３と、気化ユニット５とを含み、動力装置３が、気化ユニット用の熱を生成するように構成されている。動力装置３は、単一の加熱回路４に接続される多数の熱源を備えている。当該ユニットの全体としての効率を増大するために、単一の加熱回路は、気化ユニット５に直接又は間接的に接続される。具体的には、この浮動型ＬＮＧ貯蔵及び再ガス化ユニットは、通常、永久的に係留された基地であって、推進手段を有さない海洋船の形態であるものとされている。
【０００３】
特許文献２には、蒸気推進設備を持たない液化天然ガス搬送体上で液化天然ガスの再ガス化を行うための方法および装置の発明が開示されている。この発明に係る再ガス化システムは、通常は船のプロペラシャフトおよびプロペラを駆動するディーゼルエンジンやガスタービン推進設備を再ガス化システムの熱源として利用するものとされている。この再ガス化システムは、排気ガス熱交換器と電気温水器と補助的ヒータとから構成される熱入力源を備えており、温水循環ループに対して熱を供給することができる。液化天然ガスは、温水循環ループまたは加熱媒体循環ループに対して接触し、再ガス化される。船からは、海中導管を通して、再ガス化された天然ガスが、陸上設備へと搬送される。
【先行技術文献】
【特許文献】
【０００４】
【特許文献１】特表２０１１−５０４９９１号公報
【特許文献２】特許第４２６１５８２号公報
【発明の概要】
【発明が解決しようとする課題】
【０００５】
前記特許文献１及び２に記載された発明は、いずれも停船時や係留時に船舶のエンジンを熱源として利用し、液化天然ガスをガス化しようとするものである。これらの技術によれば、船舶のエンジンは、液化天然ガスをガス化するための熱源として利用されているだけであり、船舶の航行時に推力を得るための手段として運転の制御が行なわれているわけでなない。このため、これらの発明では、エンジンの始動時に必要な冷却水の加温や運転時に必要な冷却水の冷却を含めた航行に必要な複雑な運転制御についての考慮が全くない。従って、ガス燃料エンジンで駆動される船舶において、航行中に前記発明のような手法で液化天然ガスをガス化してガス燃料エンジンに供給しようとしても、液化天然ガスのガス化及びガス燃料エンジンに対する供給を安定的に行うことができず、結局、ガス燃料エンジンを船舶の航行に適した安定した状態で運転することが困難であるという問題があった。
【０００６】
本発明は、以上説明した先行技術における課題を解決するためになされたものであり、燃料として搭載している液化ガスを効率的かつ安全にガス化して船舶推進用のガス燃料エンジンに安定的に供給することができ、船舶の航行に適した安定した状態でガス燃料エンジンを運転することができる船舶推進ガス燃料エンジンの液化ガス供給装置を提供することを目的としている。
【課題を解決するための手段】
【０００７】
課題を解決するための手段を、本発明の各請求項の記載に基づいて説明する。なお、課題を解決するための手段の説明では、便宜上「発明を実施するための最良の形態」において各構成を示す参照符合を用いたが、これは本発明の技術的範囲を実施形態の内容に限定することを意味するものではない。本項の後に説明する「効果」における参照符合の使用も同趣旨である。
【０００８】
請求項１に記載された船舶推進ガス燃料エンジンの液化ガス供給装置は、
液化ガス貯蔵タンク１０１と、
前記液化ガス貯蔵タンク１０１からの液化ガス燃料を気化してガス燃料エンジン１０６に供給する供給気化器１０２と、
ヒータ３０７と前記ガス燃料エンジン１０６の回転により駆動する機付ポンプ３０１とを介在し、前記ガス燃料エンジン１０６からの機関冷却水を、前記供給気化器１０２に通して、前記ガス燃料エンジン１０６に返送する機関冷却水循環路２００と、
前記機付ポンプ３０１を迂回するバイパス路２０２と、
前記機付ポンプ３０１を迂回するバイパス路２０２または前記機関冷却水循環路２００の他のバイパス路に設けられ、前記機付ポンプ３０１が停止中に前記機付ポンプ３０１を迂回して機関冷却水を循環移送する電動ポンプ３０２と、
を備えたことを特徴としている。
【０００９】
請求項２に記載された船舶推進ガス燃料エンジンの液化ガス供給装置は、
液化ガス貯蔵タンク１０１と、
前記液化ガス貯蔵タンク１０１内を昇圧するタンク昇圧気化器１０７と、
液化ガス貯蔵タンク１０１からの液化ガス燃料を気化してガス燃料エンジン１０６に供給する供給気化器１０２と、
前記ガス燃料エンジン１０６の回転により駆動する機付ポンプ３０１を介在し、該ガス燃料エンジン１０６からの機関冷却水を、前記タンク昇圧気化器１０７と前記供給気化器１０２とに並列又は直列に通して、該ガス燃料エンジン１０６に返送する機関冷却水循環路２００と、
海水を冷媒とするクーラ３０８を介在し、前記機関冷却水循環路２００に設けられる機関冷却水の冷却バイパス路２０１と、
ヒータ３０７を介在し、前記機関冷却水循環路２００に設けられる機関冷却水の加熱バイパス路２０３と、
前記機付ポンプ３０１を迂回するバイパス路２０２または前記冷却バイパス路２０１を除く前記機関冷却水循環路２００の他のバイパス路２０３に設けられ、前記機付ポンプ３０１が停止中に当該機付ポンプ３０１を迂回して機関冷却水を循環移送する電動ポンプ３０２，３０３と、
を備えたことを特徴としている。
【００１０】
請求項２に係る発明の構成において、ヒータ３０７と、ガス燃料エンジン１０６の回転により駆動する機付ポンプ３０１とが、前記機関冷却水循環路２００に設けられる位置は、前記タンク昇圧気化器１０７と前記供給気化器１０２の上流側でも下流側でもよい。
【００１１】
請求項２に係る発明の構成において、ヒータ３０７は、前記機関冷却水循環路２００の前記タンク昇圧気化器１０７と前記供給気化器１０２の上流側に設けるのが好ましい。これは、ヒータ３０７を当該気化器１０７，１０２の下流側に設ける場合に比して、ガス燃料エンジン１０６の始動前には、より高温の機関冷却水を前記タンク昇圧気化器１０７と前記供給気化器１０２に流入させることができ、気化器１０７，１０２によるＬＮＧの気化量をより多くすることができるからである。
【００１２】
請求項２に係る発明の構成において、機付ポンプ３０１は、前記機関冷却水循環路２００の前記タンク昇圧気化器１０７と前記供給気化器１０２の下流側、すなわちガス燃料エンジン１０６の上流側に設けるのが好ましい。これは、ガス燃料エンジン１０６の下流側に設けるとガス燃料エンジン１０６内の機関冷却水路の圧力損失等により機付ポンプ３０１がキャビティションを起しやすいが、このような不都合を確実に回避することができるためである。
【００１３】
請求項２に係る発明の構成において、電動ポンプ３０２，３０３は、停止中に前記機付ポンプ３０１による機関冷却水の循環を妨げないように、どこかのバイパス路（冷却バイパス路２０１を除く）に配置されなければならない。したがって、例えば機付ポンプ３０１を迂回するように機関冷却水循環路２００に設けたバイパス路に電動ポンプ３０２，３０３を設けてもよいし、また、これとは別に前記機関冷却水循環路２００の何れかの位置に設けた他のバイパス路に電動ポンプ３０２，３０３を設けても差し支えない。これにより、電動ポンプ３０２，３０３は、機付ポンプ３０１が停止中に運転することができるとともに、必要により機付ポンプ３０１が稼働中も併走して稼働することができる。
【００１４】
請求項２に係る発明の構成において、「機付ポンプ３０１を迂回するバイパス路」とは、単純に機付ポンプ３０１のみを迂回するバイパス路であってもよいし、前記加熱バイパス路２０３が機付ポンプ３０１を迂回して前記機関冷却水循環路２００に合流する構成とされた場合には、機付ポンプ３０１を迂回する加熱バイパス路２０３であってもよい。
【００１５】
【００１６】
請求項３に記載された船舶推進ガス燃料エンジンの液化ガス供給装置は、
液化ガス貯蔵タンク１０１と、
前記液化貯蔵タンク内を昇圧するタンク昇圧気化器１０７と、
液化ガス貯蔵タンク１０１からの液化ガス燃料を気化してガス燃料エンジン１０６に供給する供給気化器１０２と、
前記ガス燃料エンジン１０６の回転により駆動する機付ポンプ３０１を介在し、該ガス燃料エンジン１０６からの機関冷却水を、前記タンク昇圧気化器１０７と前記供給気化器１０２とに並列又は直列に通して、該ガス燃料エンジン１０６に返送する機関冷却水循環路２００と、を備え、
海水を冷媒とするクーラ３０８を介在した機関冷却水の冷却バイパス路２０１と、ヒータ３０７を介在した機関冷却水の加熱バイパス路２０３とが、前記機関冷却水循環路２００の前記タンク昇圧気化器１０７と前記供給気化器１０２の下流側に設けられ、
前記機付ポンプ３０１が停止中に機関冷却水を循環移送する電動ポンプ３０２が、当該機付ポンプ３０１を迂回するバイパス路２０２（当該機付ポンプ３０１を迂回する加熱バイパス路２０３を含む）または前記冷却バイパス路２０１を除く前記機関冷却水循環路２００の他のバイパス路（当該機付ポンプ３０１を迂回しない加熱バイパス路２０３を含む）に設けられたことを特徴としている。
【００１７】
請求項４に記載された船舶推進ガス燃料エンジンの液化ガス供給装置は、
液化ガス貯蔵タンク１０１と、
前記液化貯蔵タンク内を昇圧するタンク昇圧気化器１０７と、
液化ガス貯蔵タンク１０１からの液化ガス燃料を気化してガス燃料エンジン１０６に供給する供給気化器１０２と、
前記ガス燃料エンジン１０６の回転により駆動する機付ポンプ３０１を介在し、該ガス燃料エンジン１０６からの機関冷却水を、前記タンク昇圧気化器１０７と前記供給気化器１０２とに並列又は直列に通して、該ガス燃料エンジン１０６に返送する機関冷却水循環路２００と、を備え、
海水を冷媒とするクーラ３０８を介在した機関冷却水の冷却バイパス路２０１と、ヒータ３０７を介在した機関冷却水の加熱バイパス路２０３とが、前記機関冷却水循環路２００の前記タンク昇圧気化器１０７と前記供給気化器１０２の上流側に設けられ、
前記機付ポンプ３０１が停止中に機関冷却水を循環移送する電動ポンプ３０２が、当該機付ポンプ３０１を迂回するバイパス路２０２（当該機付ポンプ３０１を迂回するように使用される前記加熱バイパス路２０３を含む）または前記冷却バイパス路２０１を除く前記機関冷却水循環路２００の他のバイパス路（前記加熱バイパス路２０３を含む）に設けられたことを特徴としている。
【００１８】
請求項５に記載された船舶推進ガス燃料エンジンの液化ガス供給装置は、
液化ガス貯蔵タンク１０１と、
前記液化貯蔵タンク内を昇圧するタンク昇圧気化器１０７と、
液化ガス貯蔵タンク１０１からの液化ガス燃料を気化してガス燃料エンジン１０６に供給する供給気化器１０２と、
前記ガス燃料エンジン１０６の回転により駆動する機付ポンプ３０１を介在し、該ガス燃料エンジン１０６からの機関冷却水を、前記タンク昇圧気化器１０７と前記供給気化器１０２とに並列又は直列に通して、該ガス燃料エンジン１０６に返送する機関冷却水循環路２００と、を備え、
海水を冷媒とするクーラ３０８を介在した機関冷却水の冷却バイパス路２０１が前記機関冷却水循環路２００の前記タンク昇圧気化器１０７と前記供給気化器１０２の下流側に設けられ、
ヒータ３０７を介在した機関冷却水の加熱バイパス路２０３が、前記機関冷却水循環路２００の前記タンク昇圧気化器１０７と前記供給気化器１０２の上流側に設けられ、
前記機付ポンプ３０１が停止中に機関冷却水を循環移送する電動ポンプ３０２が、当該機付ポンプ３０１を迂回するバイパス路（当該機付ポンプ３０１を迂回するように使用される前記加熱バイパス路２０３を含む）または前記冷却バイパス路２０１を除く前記機関冷却水循環路２００の他のバイパス路（前記加熱バイパス路２０３を含む）に設けられたことを特徴としている。
【００１９】
なお、以上説明した請求項２乃至５に記載の各発明は、冷却バイパス路２０１と加熱バイパス路２０３の各々を気化器１０２，１０７の上流側と下流側のいずれに設けるかに関して非限定とするか、又は限定する場合にはどのように限定するかについて差異を有している。しかしながら、これらの差異が液化ガス供給装置としての効果に与える影響については一概に断定することは困難である。すなわち、液化ガス供給装置としての効果の程度は、冷却バイパス路２０１と加熱バイパス路２０３の位置だけでなく、ガス燃料エンジン１０６自体の能力や各気化器１０２、１０７の能力等にも依存するので、必ずしも請求項４に記載の構成が最も好ましいとは限らない。
【００２０】
請求項２や請求項３に記載の構成が好ましい場合もありうるし、さらには請求項５の構成と逆の構成が好ましい場合もありうる。請求項５の構成と逆の構成とは、海水を冷媒とするクーラ３０８を介在した機関冷却水の冷却バイパス路２０１を、前記機関冷却水循環路２００の前記タンク昇圧気化器１０７と前記供給気化器１０２の上流側に設け、ヒータ３０７を介在した機関冷却水の加熱バイパス路２０３を、前記機関冷却水循環路２００の前記タンク昇圧気化器１０７と前記供給気化器１０２の下流側に設ける構成である。このような構成も本願発明の範囲内の構成であり、これによっても、ガス燃料エンジン１０６の能力や各気化器１０２、１０７の能力等の条件によっては、本発明の他の構成と同等又はそれ以上の好適な結果が得られる場合もある。
【００２１】
請求項６に記載された船舶推進ガス燃料エンジンの液化ガス供給装置は、
液化ガス貯蔵タンク１０１と、
前記液化貯蔵タンク内を昇圧するタンク昇圧気化器１０７と、
液化ガス貯蔵タンク１０１からの液化ガス燃料を気化してガス燃料エンジン１０６としてのデュアルフューエルエンジンに供給する供給気化器１０２と、
前記デュアルフューエルエンジンの回転により駆動する機付ポンプ３０１を介在し、該デュアルフューエルエンジンからの機関冷却水を、前記タンク昇圧気化器１０７と前記供給気化器１０２とに並列又は直列に通して、該ガス燃料エンジン１０６に返送する機関冷却水循環路２００と、
海水を冷媒とするクーラ３０８を介在し、前記機関冷却水循環路２００に設けられた機関冷却水の冷却バイパス路２０１と、
機関冷却水を循環移送する電動ポンプ３０２とヒータ３０７とを介在し、前記機関冷却水循環路２００の前記タンク昇圧気化器１０７と前記供給気化器１０２と機付ポンプ３０１とを迂回する機関冷却水の加熱バイパス路２０３と、
を備えることを特徴としている。
【００２２】
なお、以上説明した請求項１乃至６の発明におけるガス燃料エンジン１０６をデュアルフューエルエンジンとして運転する場合、又は請求項６の発明におけるデュアルフューエルエンジンであるガス燃料エンジン１０６を運転する場合には、初期のディ−ゼル油での「ディーゼルモード（ＤＥモード）」運転を長く行い、機関冷却水を所定の温度に昇温するようにすれば、ヒータ３０７を省略することができる。この記述から明らかなように、本願の各請求項２乃至６から構成要件としてのヒータ３０７を除いた発明も、現在の特許請求の範囲には記載されていないものの、本願の開示の範囲内のものである。
【００２３】
請求項７に記載された船舶推進ガス燃料エンジンの液化ガス供給装置は、請求項１〜６のいずれか１項に記載の船舶推進ガス燃料エンジンの液化ガス供給装置において、
液化ガス貯蔵タンク１０１のタンク上部にあるガス状態の液化ガス燃料のみを前記供給気化器１０２に供給する燃料ガスラインを備えたことを特徴としている。
【００２４】
すなわち、以上説明した請求項１〜６に記載の発明において、液化ガス貯蔵タンク１０１のタンク上部にあるガス状態の液化ガス燃料のみを供給気化器１０２に供給する燃料ガスラインを設け、気化供給器１０２への液体状態の液化ガス燃料の供給を停止すると共に、当該燃料ガスラインによりガス状態の液化ガス燃料を供給気化器１０２に供給加温した後ガス燃料エンジン１０６に供給して、ガス燃料エンジン１０６を例えば負荷率０〜３０％程度の負荷範囲内で運転することにより、液化ガス貯蔵タンク１０１内の圧力を下げるようなＬＮＧタンク減圧運転を行えるように構成することができる。
【００２５】
請求項８に記載された船舶推進ガス燃料エンジンの液化ガス供給装置は、請求項１〜７のいずれか１項に記載の船舶推進ガス燃料エンジン１０６の液化ガス供給装置において、
前記機付ポンプ３０１の吐出側の前記機関冷却水循環路２００と、前記機付ポンプ３０１を迂回するバイパス路とに、それぞれ逆止弁を介在させた後、合流させることを特徴としている。
【００２６】
請求項８に係る発明の構成において、「機付ポンプ３０１を迂回するバイパス路」とは、単純に機付ポンプ３０１のみを迂回するバイパス路であってもよいし、前記加熱バイパス路２０３が機付ポンプ３０１を迂回して前記機関冷却水循環路２００に合流する構成とされた場合には、機付ポンプ３０１を迂回する加熱バイパス路２０３であってもよい。
【００２７】
請求項９に記載された船舶推進ガス燃料エンジンの液化ガス供給装置は、請求項１〜８のいずれか１項に記載の船舶推進ガス燃料エンジン１０６の液化ガス供給装置において、
前記機関冷却水循環路２００に、機関冷却水中の気体を除くと共に該機関冷却水の温度による容積の膨脹・収縮を吸収する脱気膨脹タンク３１０が介在していることを特徴としている。
【００２８】
請求項１０に記載された船舶推進ガス燃料エンジンの液化ガス供給装置は、請求項１〜９のいずれか１項に記載の船舶推進ガス燃料エンジン１０６の液化ガス供給装置において、
供給気化器１０２とガス燃料エンジン１０６との間にバッファタンク１０３が設けられ、該バッファタンク１０３が、ガス燃料エンジン１０６の定格負荷運転で例えば３分間に消費する燃料ガスの量と同等以上の容量を有することを特徴としている。
【００２９】
請求項１１に記載された船舶推進ガス燃料エンジンの液化ガス供給装置は、請求項１〜１０のいずれか１項に記載の船舶推進ガス燃料エンジン１０６の液化ガス供給装置において、
ガス燃料エンジン１０６の起動前において、該ガス燃料エンジン１０６の出口での機関冷却水の温度がＴＬ( ４５℃以上５５℃未満の範囲の内の所定温度、すなわち４５℃≦ＴＬ＜５５℃）である場合、電動ポンプ３０２とヒータ３０７とを起動して該ヒータ３０７に機関冷却水を流して該機関冷却水を加温し、前記ガス燃料エンジン１０６の出口での機関冷却水の温度がＴＨ( ５５℃以上６４℃未満の範囲の内の所定温度、すなわち５５℃≦ＴＨ＜６４℃) である場合、少なくともヒータ３０７を停止状態に保持し、
前記ガス燃料エンジンの起動後における前記ガス燃料エンジン１０６の出口での機関冷却水の温度がＴＦ( ７５℃以上９０℃未満の範囲の内の所定温度、すなわち７５℃≦ＴＦ＜９０℃) となるようにクーラ３０８に流れる機関冷却水量を調整することを特徴としている。
【００３０】
請求項１１に係る発明の構成において、「少なくともヒータ３０７を停止状態に保持し」とは、前記ガス燃料エンジン１０６の出口の機関冷却水の温度がＴＨである場合に一般的に選択される運転状態、すなわちヒータ３０７による加熱は停止するが電動ポンプ３０２は稼働し続ける状態と、温度計３０９での温度測定が多少不正確になる可能性があっても電動ポンプ３０２とヒータ３０７の両方を停止とする状態の両方を含む。
【００３１】
以上、課題を解決するための手段の説明に用いた各請求項の記載における各用語の定義は以下の通りである。
気化器１０７，１０２の熱源となる「機関冷却水」とは、ガスエンジン( デュアルフューエルエンジンを含む) の空気冷却器、シリンダライナ及びシリンダヘッド( 燃料噴射弁を含む) を順次冷却する冷却水を意味する。従って、エンジン高温冷却水回路、エンジン低温冷却水回路、潤滑油回路、エンジンジャケット水回路及び排気ガス熱交換器を循環する冷却水とは、冷却する対象が異なる点において技術的に意味する範囲が異なる。
【００３２】
「クーラ３０８」とは、前記「機関冷却水」を冷却するすべての冷却手段を意味し、例えば、シェル＆チューブ式の熱交換器、プレート式熱交換器等を指す。
【００３３】
「ヒータ３０７」とは、前記「機関冷却水」を加熱又は加温するすべての加熱手段又は加温手段を意味し、例えば、電気ヒータ等による電気式加熱器を指す。
【発明の効果】
【００３４】
請求項１に記載された船舶推進ガス燃料エンジンの液化ガス供給装置によれば、前記液化ガス貯蔵タンク１０１内を昇圧するタンク昇圧気化器１０７と、液化ガス貯蔵タンク１０１からの液化ガス燃料を気化してガス燃料エンジン１０６に供給する供給気化器１０２との両方の気化器に機関冷却水を通し、該機関冷却水の熱を有効に利用して両気化器１０７，１０２で液化ガスを加熱するようにした。これにより、液化ガス貯蔵タンク１０１内を所定の圧力に維持して、その圧力で液化ガス燃料を供給気化器１０２に的確に供給するとともに、機関冷却水の熱を有効利用してガス燃料を的確に生成することができ、ガス燃料エンジン１０６の高負荷運転に際しても十分なＬＮＧガス量をガス燃料エンジン１０６に供給することができる。
【００３５】
請求項２に記載された船舶推進ガス燃料エンジンの液化ガス供給装置によれば、冷却バイパス路２０１と加熱バイパス路２０３の各々を、気化器１０２、１０７の上流側に設けるのか、又は下流側に設けるのかについて、その他の構成に応じて任意の構成を採用することができ、それに応じた効果を得ることができる。すなわち、冷却及び加熱の両バイパス路と気化器の位置関係を請求項２では限定していないが、液化ガス供給装置としての性能は、当該位置関係だけでなく、ガス燃料エンジン１０６の能力や各気化器１０２、１０７の能力等にも依存するので、単純にどのような配置関係がよいとは断定できない。従って、この請求項２に記載された発明によれば、液化ガス供給装置が適用されるガス燃料エンジン１０６の能力や、液化ガス供給装置の構成の一部である各気化器１０２、１０７の能力等に応じ、最も的確な液化ガス供給能力が得られるように、冷却及び加熱の両バイパス路と気化器の位置関係を選択できるという効果が得られる。
なお、冷却及び加熱の両バイパス路と気化器の位置関係を具体的に設定した場合を規定した請求項が３乃至５であり、これら特有の効果については以下に説明する。
【００３６】
請求項３に記載された船舶推進ガス燃料エンジンの液化ガス供給装置によれば、海水を冷媒とするクーラ３０８を介在した機関冷却水の冷却バイパス路２０１が前記機関冷却水循環路２００の前記タンク昇圧気化器１０７と前記供給気化器１０２の下流側に設けることにより、当該気化器の上流側に冷却バイパス路２０１を設ける場合に比して、より高温の機関冷却水が前記タンク昇圧気化器１０７と前記供給気化器１０２に流入することになる。したがって、気化器による熱回収率はよくなる。
【００３７】
請求項４に記載された船舶推進ガス燃料エンジンの液化ガス供給装置によれば、ヒータ３０７を介在した機関冷却水の加熱バイパス路２０３が前記機関冷却水循環路２００の前記タンク昇圧気化器１０７と前記供給気化器１０２の上流側に設けることにより、当該気化器の下流側に加熱バイパス路２０３を設ける場合に比して、ガス燃料エンジン１０６の始動前にはより高温の機関冷却水が前記タンク昇圧気化器１０７と前記供給気化器１０２に流入することになる。したがって、気化器によるＬＮＧの気化量がより多くなる。
【００３８】
請求項５に記載された船舶推進ガス燃料エンジンの液化ガス供給装置によれば、海水を冷媒とするクーラ３０８を介在した機関冷却水の冷却バイパス路２０１が、前記機関冷却水循環路２００の前記タンク昇圧気化器１０７と前記供給気化器１０２の下流側に設けられているので、当該気化器１０７，１０２の上流側に冷却バイパス路２０１を設ける場合に比して、より高温の機関冷却水が前記タンク昇圧気化器１０７と前記供給気化器１０２に流入することになる。
【００３９】
また、ヒータ３０７を介在した機関冷却水の加熱バイパス路２０３が、前記機関冷却水循環路２００の前記タンク昇圧気化器１０７と前記供給気化器１０２の上流側に設けられているので、当該気化器１０７，１０２の下流側に加熱バイパス路２０３を設ける場合に比して、ガス燃料エンジン１０６の始動前にはより高温の機関冷却水が前記タンク昇圧気化器１０７と前記供給気化器１０２に流入することになる。したがって、気化器による熱回収率が最も高くなる。
【００４０】
請求項６に記載された船舶推進ガス燃料エンジンの液化ガス供給装置によれば、デュアルフューエルエンジンにおいて、前記液化ガス貯蔵タンク１０１内を昇圧するタンク昇圧気化器１０７と、液化ガス貯蔵タンク１０１からの液化ガス燃料を気化してガス燃料エンジン１０６に供給する供給気化器１０２の両方に機関冷却水を通し、該機関冷却水の熱を有効に利用して両気化器１０７，１０２において液化ガスを加熱するようにした。これにより、液化ガス貯蔵タンク１０１内を所定の圧力に維持して、その圧力で液化ガス燃料を供給気化器１０２に的確に供給でき、デュアルフューエルエンジンであるガス燃料エンジン１０６の高負荷運転に際しても十分なＬＮＧガス量をガス燃料エンジン１０６に供給することができる。
さらに請求項６に記載された船舶推進ガス燃料エンジンの液化ガス供給装置によれば、機関冷却水を循環移送する電動ポンプ３０２とヒータ３０７とを介在し、前記機関冷却水循環路２００の前記タンク昇圧気化器１０７と前記供給気化器１０２と機付ポンプ３０１とを迂回する機関冷却水の加熱バイパス路２０３を設けているので、デュアルフューエルエンジンとして使用する場合の暖機時に冷却水を両気化器１０７，１０２に回さずに直接エンジンに戻すルートを選択することができ、機関冷却水が機付ポンプ３０１をバイパスして循環するようにすることができる。すなわち、デュアルフューエルエンジンは始動時にはＤＥモードで駆動するため、燃料ガスは不要であるから、船舶の停止中にエンジンを暖機するためには機関冷却水を単に循環させればよく、ＬＮＧを加熱して燃料ガスを発生させる必要はない。このため、ヒータ３０７で加熱した機関冷却水を両気化器１０７，１０２に回すことなく、下流のエンジンに直接戻すことができる。
【００４１】
請求項７に記載された船舶推進ガス燃料エンジンの液化ガス供給装置によれば、液化ガス貯蔵タンク１０１のタンク上部にあるガス燃料のみを燃料ガスラインを介して供給気化器１０２に供給できるので、液化ガス貯蔵タンク１０１に液化ガスを補充する際や、当該船舶のドック入り等の際に便宜が得られるように、液化ガス貯蔵タンク１０１内の圧力を下げるＬＮＧタンク減圧運転を行うことができるという効果が得られる。
【００４２】
具体的に液化ガス貯蔵タンク１０１の前記減圧運転例を各図面に示した実施形態のレベルで説明すると、まず、前記燃料ガスラインの電動開閉弁１１２を全開し、気化供給器１０２へ液体状態の液化ガス燃料を供給する供給ラインの電動開閉弁１１０を全閉とし、ガス燃料エンジン１０６の負荷率を例えば０〜３０％として、調圧弁１０８の設定値を所定の圧力（例えば０．１以上〜０．３ＭＰａ以下）とすることにより運転を行う。
【００４３】
なお、タンク内圧が所定の圧力（０．１以上〜０．３ＭＰａ以下）まで下がったら、再び電動開閉弁１１０を全開とし、電動開閉弁１１２を全閉とし通常のガス燃料運転を継続することもできるし、自動開閉弁１０９と電動開閉弁１１２と遮断弁１０５を全閉とし、ガス燃料運転を終了することもできる。
【００４４】
請求項８に記載された船舶推進ガス燃料エンジンの液化ガス供給装置によれば、機付ポンプ３０１の吐出側の前記機関冷却水循環路２００と、機付ポンプ３０１を迂回するバイパス路に、それぞれ逆止弁を設けたので、遠隔操作できる自動バイパス切換弁等の複雑・高価な制御装置が不要となり、機付ポンプ３０１と電動ポンプ３０２の切換や併走運転を単なるオン−オフ制御で可能とすることができる。
【００４５】
請求項９に記載された船舶推進ガス燃料エンジンの液化ガス供給装置によれば、機関冷却水循環路２００に脱気膨脹タンク３１０を設けたので、機関冷却水中の気体を除くと共に該機関冷却水の温度による容積の膨脹・収縮を吸収することができる。
【００４６】
請求項１０に記載された船舶推進ガス燃料エンジンの液化ガス供給装置によれば、供給気化器１０２とガス燃料エンジン１０６の間にバッファタンク１０３を設けたので、ガス化燃料の発熱変動量を抑制することができる。また、バッファタンク１０３は、ガス燃料エンジン１０６が定格負荷運転で３分間に消費する容量以上のガス燃料を貯えることにより、ガス燃料エンジン１０６の運転の安定性を向上させることができる。
【００４７】
請求項１１に記載された船舶推進ガス燃料エンジンの液化ガス供給装置によれば、起動前のガス燃料エンジン１０６の出口における機関冷却水の温度に応じて電動ポン３０２やヒータ３０７の運転を制御することにより、クーラに流れる機関冷却水量を調整して、起動後のガス燃料エンジンの出口における機関冷却水の温度を必要な所定範囲内に納めることができる。
【図面の簡単な説明】
【００４８】
【図１】第１実施形態に係る船舶推進ガス燃料エンジンの液化ガス供給装置の装置系統図である。
【図２】第２実施形態に係る船舶推進ガス燃料エンジンの液化ガス供給装置の装置系統図である。
【図３】第３実施形態に係る船舶推進ガス燃料エンジンの液化ガス供給装置の装置系統図である。
【図４】第４実施形態に係る船舶推進ガス燃料エンジンの液化ガス供給装置の装置系統図である。
【図５】第５実施形態に係る船舶推進ガス燃料エンジンの液化ガス供給装置の装置系統図である。
【図６】第６実施形態に係る船舶推進ガス燃料エンジンの液化ガス供給装置の装置系統図である。
【図７】第７実施形態に係る船舶推進ガス燃料エンジンの液化ガス供給装置の装置系統図である。
【図８】各実施形態に係る船舶推進ガス燃料エンジンの液化ガス供給装置に設けられる脱気膨脹タンクの構造図である。
【図９】各実施形態に係る船舶推進ガス燃料エンジンの液化ガス供給装置に設けられたバッファタンクがガス化燃料の発熱変動量を抑制していることを示す図であって、分図（ａ）はバッファタンクの入口側に設けた発熱量計の指示値の時間変動を示すグラフであり、分図（ｂ）はバッファタンクの出口側に設けた発熱量計の指示値の時間変動を示すグラフである。
【発明を実施するための最良の形態】
【００４９】
以下、本発明に係る船舶推進ガス燃料エンジンの液化ガス供給装置の実施形態を説明する。
各実施形態に係る液化ガス供給装置は、ガス燃料エンジンで推進する船舶に搭載して液化ガスをガス化し、これを航行用、推進用の燃料として当該船舶のガス燃料エンジンに安定的に供給するための装置である。従って、本願発明は、燃料として搭載している液化ガスを効率的かつ安全にガス化してガス燃料エンジンに安定的に供給し、船舶の航行に適した状態でガス燃料エンジンを運転することができることを特徴としており、この点において、停船時や係留時に船舶のエンジンを単なる熱源として利用し、液化天然ガスをガス化する従来の技術とは構造、運転乃至制御手法等において根本的に相違する。なお、実施形態の船舶推進ガス燃料エンジン（以下、単にガス燃料エンジン又はエンジン等と呼ぶ）には、ガスモードとディーゼルモードの両モードを選択して運転できるデュアルフューエルエンジンと、ガス燃料のみを燃料とするガス専燃エンジンの両方が含まれる。
【００５０】
１．第１実施形態（図１、請求項１、請求項２及び請求項５に対応）
本実施形態は、デュアルフューエルエンジンとガス専燃エンジンの両方に適用されるものであり、以下、まず図１を参照して構成の概要を説明し、次にガス燃料エンジンをデュアルフューエルエンジンとして運転する場合の手順等について説明する。
【００５１】
(1) 構成
図１は、第１実施形態に係るガス燃料エンジンの液化ガス供給装置の装置系統図である。図１には船舶の船体自体は示していないが、この図示しない船舶に、図１に示すガス燃料エンジン１０６と液化ガス供給装置が搭載されている。液化ガス供給装置は、ガス燃料エンジン１０６に供給されるガス燃料の原料となる液化ガスを貯えた液化ガス貯蔵タンク１０１を含み、ガス燃料エンジン１０６を冷却するための機関冷却水循環路２００を循環する機関冷却水の熱を利用することにより、液化ガス貯蔵タンク１０１の液化ガスを気化してガス燃料とし、これをガス燃料エンジン１０６に供給するように構成されている。
【００５２】
本実施形態の構成を、機関冷却水循環路２００の上流側から順次説明する。機関冷却水循環路２００は、ガス燃料エンジン１０６の被冷却部位（例えば空気冷却器、シリンダライナ及び燃料噴射弁を含むシリンダヘッド) の冷却水出口ＯＵＴと冷却水入口ＩＮを結ぶ配管であり、冷却水入口ＩＮの近傍に設けられた後述する機付ポンプ３０１によって機関冷却水を循環させて冷却を行う。
【００５３】
ガス燃料エンジン１０６には回転計１１１が設けられている。また、ガス燃料エンジン１０６の機関冷却水循環路２００には、冷却水出口ＯＵＴの近傍において温度計３０９が設けられている。これら回転計１１１及び温度計３０９の検出値は、後述する本装置の運転手順において説明するように、ガス燃料エンジン１０６又は液化ガス供給装置の運転制御に利用される。
【００５４】
機関冷却水循環路２００において、温度計３０９の下流側には、脱気器として機能する分岐３１１が設けられている。分岐３１１の上側出口は脱気膨張タンク３１０の底部に連通されており、下側出口は機関冷却水循環路２００の下流側に接続されている。なお、分岐３１１及び脱気膨張タンク３１０は、機関冷却水中に含まれる気泡を除去するための設備であり、その詳細は後述する別項８「各実施形態に共通の構成について」において説明する。脱気膨張タンク３１０の底部に接続連通された機関冷却水の戻り管Ｒ１は機関冷却水循環路２００に接続されている。
【００５５】
機関冷却水循環路２００において、分岐３１１の下流側には制御の必要に応じてモータで選択的に駆動される電動ポンプ３０２とヒータ３０７が設けられた加熱バイパス路２０３が設けられている。また、加熱バイパス路２０３においてヒータ３０7 の下流側、および、加熱バイパス路２０３と機関冷却水循環路２００との合流点近傍の機関冷却水循環路２００には逆止弁ＣＶがそれぞれ設けられている。ヒータ３０７は、例えば電気式加熱器等で構成することができる。さらに、このヒータ３０７の加熱バイパス路２０３が設けられている下流の機関冷却水循環路２００には、液化ガス貯蔵タンク１０１内を昇圧するタンク昇圧気化器１０７と、液化ガス貯蔵タンク１０１からの液化ガス燃料を気化してガス燃料エンジン１０６に供給する供給気化器１０２が、互いに並列に介在接続されている。なお、両気化器１０７，１０２は機関冷却水循環路２００に対して直列に接続されてもよく、その場合には各種条件等に応じて何れかの一方を上流にすればよい。
【００５６】
タンク昇圧気化器１０７において、機関冷却水循環路２００から供給された熱を受け取る被加熱側の導入配管ＰＡ１は、液化ガス貯蔵タンク１０１の底部に連通しており、液化ガスをタンク昇圧気化器１０７に導けるようになっている。この導入配管ＰＡ１には、液化ガスの供給制御用に電動開閉弁１０９が設けられている。また、機関冷却水循環路２００から供給された熱を受け取る被加熱側の排出配管ＰＢ１は、液化ガス貯蔵タンク１０１の頂部に連通しており、タンク昇圧気化器１０７で気化されて生じた燃料ガスを液化ガス貯蔵タンク１０１の頂部に供給できるようになっている。この排出配管ＰＢ１には、燃料ガスの圧力制御用に調圧弁１０８が設けられている。
【００５７】
供給気化器１０２において、機関冷却水循環路２００から供給された熱を受け取る被加熱側の導入配管は、２つに分岐している。一方の導入配管ＰＡ２は、電動開閉弁１１０を介して液化ガス貯蔵タンク１０１の底部に連通しており、液化ガスを供給気化器１０２に導けるようになっている。また、燃料ガスラインの一部である他方の導入配管ＰＡ３は、電動開閉弁１１２及び逆止弁ＣＶを介して液化ガス貯蔵タンク１０１の頂部に連通しており、必要に応じてガス状態の液化ガス燃料のみを供給気化器１０２に導けるようになっている。さらに、機関冷却水循環路２００から供給された熱で液化ガスが気化されて生成された燃料ガスを送り出す被加熱側の排出配管ＰＢ２には、バッファタンク１０３と、調圧弁１０４と、遮断弁１０５が直列に接続され、さらにガス燃料エンジン１０６に接続されている。
【００５８】
機関冷却水循環路２００において、タンク昇圧気化器１０７と供給気化器１０２の下流側には、モータで開閉制御される電動温調三方弁３０５が設けられている。この電動温調三方弁３０５は、その入口が機関冷却水循環路２００の上流側に接続され、第１の出口が機関冷却水循環路２００の下流側に接続され、第２の出口が機関冷却水循環路２００の下流側に冷却バイパス路２０１に接続されている。この冷却バイパス路２０１の一部はクーラ３０８内に配置されている。クーラ３０８は、例えばシェル＆チューブ式の熱交換器や、プレート式熱交換器で構成することができる。クーラ３０８内には冷媒としての海水が機付ポンプ３１２及び冷却配管ＰＣによって船外から供給され、機関冷却水を冷却した海水は船外に排出されるように構成されている。詳細は後述するが、前述した温度計３０９が検知した機関冷却水の温度に基づき、フィードバック制御によって電動温調三方弁３０５を適宜制御することにより、クーラ３０８に流す機関冷却水の量を制御し、機関冷却水の温度を制御することができる。
【００５９】
機関冷却水循環路２００において、電動温調三方弁３０５及び冷却バイパス路２０１の下流には、前述したように、脱気膨張タンク３１０から導かれた冷却水の戻り管Ｒ１が接続されている。そして、この戻り管Ｒ１の接続点よりも下流側の機関冷却水循環路２００には、上流側から機付ポンプ３０１と逆止弁ＣＶが直列に接続され、ガス燃料エンジン１０６の冷却水入口ＩＮに接続されている。
【００６０】
機関冷却水循環路２００において、戻り管Ｒ１の接続点の下流かつ機付ポンプ３０１の上流側の位置と、機付ポンプの下流にある逆止弁の出口側とガス燃料エンジン１０６の冷却水入口ＩＮとの間の位置は、バイパス路２０２，２１０によって接続連通されている。すなわち、バイパス路２０２，２１０は機付ポンプ３０１を迂回している。バイパス路２０２には、制御の必要に応じてモータで選択的に駆動される電動ポンプ３０３が設けられている。また、バイパス路２１０と、バイパス路２０２において電動ポンプ３０３の下流側とには、逆止弁ＣＶがそれぞれ設けられている。すなわち、バイパス路２０２，２１０の各逆止弁ＣＶの出口側が、機付ポンプ３０１の下流に設けられた逆止弁ＣＶの出口側に接続されている。
【００６１】
なお、本実施形態では、電動ポンプ３０３は前記機付ポンプ３０１を迂回するバイパス路２０２に設けることとしたが、前記冷却バイパス路２０１を除く前記機関冷却水循環路２００の他のバイパス路に設けるものとしてもかまわない。
【００６２】
また、図１中には示していないが、本実施形態は、以上説明した本実施形態の各構成部分を統括的に制御する制御手段としてのエンジン制御装置（単に制御装置又は制御機器等とも呼ぶ）を含んでいる。このエンジン制御手段は、「エンジン」との語が付されているものの、ガス燃料エンジン１０６と液化ガス供給装置の両方を制御するものである。なお、ガス燃料エンジン１０６と液化ガス供給装置が、互いに連携して機能する別々の制御手段によってそれぞれ制御されるものとしてもよい。
【００６３】
また、以上「構成」の項にて言及されていない内容については、以下の「運転手順」の説明を援用して構造の説明に代えるものとする。
【００６４】
(2) デュアルフューエルエンジンとしての運転手順
次に、本実施形態のガス燃料エンジン１０６をデュアルフューエルエンジンとして運転する場合の手順について説明する。以下に説明する手順又は制御の内容は、前述した制御手段としてのエンジン制御装置が、操作者が必要に応じて行う手動操作を受けて、本実施形態の各部を制御することにより実行されるものである。
【００６５】
〈運転準備〉
1)エンジン制御装置の「運転準備」ＳＷを手動でＯＮにしてエンジンの補機類の自動制御用シーケンスを走らせる。
【００６６】
2)電動温調三方弁３０５は、温度計３０９の温度Ｔ１が所定の温度ＴＦ( 例えば７５℃以上９０℃未満の範囲の内の所定温度) となるように、フィードバック制御にてクーラ３０８に流す機関冷却水の量を調整する状態になるが、この状態でも、機関停止中は熱源が無いため、温度計３０９の温度Ｔ１がＴＦを越えることは無く、機関停止中の電動温調三方弁３０５はクーラ３０８側が全閉である。なお、電動温調三方弁３０５は、電動モータにより駆動され、電流信号により開度が調整され、二方向の出口の流量が調整される。
【００６７】
3)エンジンの補機類の自動制御用シーケンスを走らせると電動ポンプ３０２はＯＮ状態となる。温度計３０９の温度Ｔ１が所定の温度ＴＬ( 例えば４５℃以上５５℃未満の範
囲の内の所定温度) 又はこれ未満の温度であれば、ヒータ３０７を手動または自動にてＯＮにする。一方、温度計３０９の温度Ｔ１が所定の温度ＴＨ（例えば５５℃以上６４℃未満の範囲の内の所定温度）であれば、ヒータ３０７を手動または自動でＯＦＦにする。
【００６８】
4)エンジン制御装置の「運転準備」ＳＷを手動でＯＮにすると、電動開閉弁１０９と電動開閉弁１１０とが全開となる。
【００６９】
5)電動開閉弁１０９を通ったＬＮＧは自重でタンク昇圧気化器１０７に流れ、気化・膨張して高圧となる。気化したＬＮＧは、調圧弁１０８で調圧されて液化ガス貯蔵タンク１０１内に入り、内部のＬＮＧに圧力を加えて押し出す。
【００７０】
〈運転開始〉
6)エンジン制御装置の「始動」ＳＷを手動でＯＮにする。制御装置、センサー等の故障のインターロックが掛かっていなければ、始動のシーケンスが走り出し「ＤＥモード」（ディーゼルエンジンモード）の運転となる。なお、上記運転準備で機関冷却水の温度Ｔ１が、温度ＴＬの範囲を超え（例えば６０℃) 、温度ＴＨの範囲に入っていても、始動のシーケンスは走り出す。
【００７１】
7)ガス燃料エンジン１０６が回転し、機付ポンプ３０１、機付ポンプ３１２が回転する。海水は、機付ポンプ３１２が回転することにより船外から取り込まれ、クーラ３０８等に供給され冷却水として用いられた後、船外に排出される。
【００７２】
8)ガス燃料エンジン１０６の回転数Ｎを回転計１１１にて読み込む。
【００７３】
9)エンジンが始動し、回転数Ｎが所定回転数Ｎ１（例えば毎分１５０回転）以上となったら、電動ポンプ３０２がＯＦＦ状態になる。なお、ヒータ３０７はこの時に自動でＯＦＦにする場合と手動にて別タイミングでＯＦＦ状態にする場合がある。電動温調三方弁３０５は、温度計３０９の温度Ｔ１が所定の温度範囲ＴＦ( 例えば８０℃）となった後は、前記フィードバック制御にてクーラ３０８に流す機関冷却水の量を調整する状態になる。
【００７４】
〈ガス運転開始〉
10) エンジン制御装置の運転モードを手動で「ＧＥモード」（ガスエンジンモード）にする。遮断弁１０５が開く。ただし、機関冷却水温度Ｔ１が、温度範囲ＴＨを下回っている場合（例えば５０℃）の場合は、自動でキャンセルされ「ＤＥモード」になる。遮断弁１０５が開くと、液化ガス貯蔵タンク１０１からＬＮＧが押し出される。押し出されたＬＮＧは、電動開閉弁１１０を介して供給気化器１０２を通り、気化される。気化されたＬＮＧは、バッファタンク１０３を介して調圧弁１０４で調圧されて遮断弁１０５を通り、デュアルフューエルエンジンであるガス燃料エンジン１０６に供給される。
【００７５】
11) なお、気化されたＬＮＧは、バッファタンク１０３の中を通り、発熱量変動が抑制される。なお、バッファタンク１０３による発熱量変動の抑制効果については後出の別項８「各実施形態に共通の構成について」において説明する。バッファタンク１０３の容積は、運転を安定化させるため、デュアルフューエルエンジンが定格負荷運転で例えば３分間に消費する燃料ガスの量と同等以上の容量を保有出来るものが好ましい。
【００７６】
12) 調圧弁１０４の出口の圧力は制御装置によりエンジンの負荷・運転状況に応じて調整される。
【００７７】
〈ＬＮＧタンク減圧運転〉
13) 液化ガス貯蔵タンク１０１にＬＮＧを補充する際やドック入り等の際には、液化ガス貯蔵タンク１０１の圧力を下げるために、「ＧＥモード」にて、エンジンの負荷率を下げ（例えば２５％）、調圧弁１０８の設定値を所定の圧力（例えば０．２５ＭＰａ）まで下げ、電動開閉弁１１２を全開、電動開閉弁１１０を全閉として運転をする場合がある。これを「ＬＮＧタンク減圧運転」と呼ぶ。
【００７８】
14) 液化ガス貯蔵タンク１０１の内圧が所定の圧力（例えば０．２５ＭＰａ）まで下がった場合は、電動開閉弁１１２を全閉とし、「ＬＮＧタンク減圧運転」は終了する。
【００７９】
15) 「ＬＮＧタンク減圧運転」終了後は、再び電動開閉弁１１０を全開としてＧＥモードを継続する場合と、電動開閉弁１１０は全閉のままとし、「ガス運転終了」に移行する場合がある。
【００８０】
〈ガス運転終了〉
16) 制御装置の運転モードを「ＧＥモード」から「ＤＥモード」に手動で切り替える。なお、ガス運転用機器が故障した場合および、「ＬＮＧタンク減圧運転」後は、自動で「ＤＥモード」に切り替わることがある。
【００８１】
17) これにより電動開閉弁１０９と電動開閉弁１１０と遮断弁１０５が全閉となる。
以上により、ディーゼル燃料による運転となる。
【００８２】
〈運転終了〉
18) エンジンの制御装置において「停止動作」ＳＷを手動でＯＮにする。
19) ガス燃料エンジン１０６の回転数Ｎが下がり、所定回転数Ｎ１未満となったら、電動ポンプ３０３がＯＮになる。
20) 電動ポンプ３０３がＯＮとなった後、所定時間（例えば５分程度）が経過したら、電動ポンプ３０３がＯＦＦになる。
【００８３】
このように、本実施形態によれば、液化ガス貯蔵タンク１０１内を所定の圧力に維持して、その圧力で液化ガス燃料を供給気化器１０２に的確に供給するとともに、機関冷却水の熱を有効利用してガス燃料を的確に生成することができ、デュアルフューエルエンジンのガスエンジンモードに際しても十分なＬＮＧガス量をエンジン１０６に供給することができる。
【００８４】
２．第２実施形態（図２、請求項１、請求項２及び請求項３に対応）
本実施形態は、デュアルフューエルエンジンとガス専燃エンジンの両方に適用されるものであり、以下、まず第１実施形態（図１）と異なる構成を説明し、次にガス専焼エンジンとして運転する場合の手順について説明する。
なお、本項以下の各実施形態の説明及び図面の記載においては、共通する用語、符合、説明等は前出の実施形態と同一の意味を有するものとし、必要に応じて前出の説明を援用し、繰り返しを省略するものとする。
【００８５】
(1) 構成
本実施形態では、第１実施形態（図１）では、機関冷却水循環路２００においてタンク昇圧気化器１０７及び供給気化器１０２の上流に設けられていた電動ポンプ３０２とヒータ３０７が、両気化器１０７，１０２の下流側にあるバイパス路としての加熱バイパス路２０３に設けられている。また、電動ポンプ３０３は設けられていない。
【００８６】
(2) ガス専焼エンジンとしての運転手順
〈運転準備〉
1)エンジン制御装置の「運転準備」ＳＷを手動でＯＮにしてエンジンの補機類の自動制御用シーケンスを走らせる。
【００８７】
2)電動温調三方弁３０５は、温度計３０９の温度Ｔ１が所定の温度ＴＦとなるように、フィードバック制御にてクーラ３０８に流す機関冷却水の量を調整する状態になるが、この状態でも、機関停止中は熱源が無いため、温度計３０９の温度Ｔ１が温度ＴＦを越えることは無く、機関停止中の電動温調三方弁３０５はクーラ３０８側が全閉である。なお、電動温調三方弁３０５は、電動モータにより駆動され、電流信号により開度が調整され、二方向の出口の流量が調整される。
【００８８】
3)エンジンの補機類の自動制御用シーケンスを走らせると電動ポンプ３０２はＯＮ状態となる。温度計３０９の温度Ｔ１が所定の温度ＴＬ又はこれ未満の温度であれば、ヒータ３０７を手動または自動にてＯＮにする。一方、温度計３０９の温度Ｔ１が所定の温度ＴＨであれば、ヒータ３０７を手動または自動でＯＦＦにする。
【００８９】
4)制御装置の「運転準備」ＳＷを手動でＯＮにすると、電動開閉弁１０９と電動開閉弁１１０とが全開となる。
【００９０】
5)電動開閉弁１０９を通ったＬＮＧは自重でタンク昇圧気化器１０７に流れ、気化・膨張して高圧となる。気化したＬＮＧは、調圧弁１０８で調圧されて液化ガス貯蔵タンク１０１内に入り、内部のＬＮＧに圧力を加えて押し出す。
【００９１】
〈運転開始〉
6)制御装置の「始動」ＳＷを手動でＯＮにする。制御機器、センサー等の故障のインターロックが掛かっていなければ、始動のシーケンスが走り出し、遮断弁１０５が開き、液化ガス貯蔵タンク１０１内のＬＮＧが外に押し出される。押し出されたＬＮＧは、電動開閉弁１１０を介して供給気化器１０２を通り、気化される。気化されたＬＮＧは、バッファタンク１０３を介して調圧弁１０４で調圧され、遮断弁１０５を通ってガス専焼エンジンとしてのガス燃料エンジン１０６に供給される。なお、気化されたＬＮＧは、バッファタンク１０３の中を通り、発熱量変動が抑制される。バッファタンク１０３の容積は、ガス専焼エンジンが定格負荷運転で３分間に消費する燃料ガスの量と同等以上の容量を保有出来るものが好ましい。調圧弁１０４の出口の圧力は制御装置によりエンジンの負荷・運転状況に応じて調整される。なお、上記運転準備で機関冷却水の温度Ｔ１が、温度ＴＬの範囲を超え（例えば６０℃) 、温度ＴＨの範囲に入っていても、始動のシーケンスは走り出す。
【００９２】
7)ガス燃料エンジン１０６が回転し、機付ポンプ３０１、機付ポンプ３１２が回転する。海水は、機付ポンプ３１２が回転することにより船外から取り込まれ、クーラ３０８等に供給され冷却水として用いられた後、船外に排出される。
【００９３】
8)ガス燃料エンジン１０６の回転数Ｎを回転計１１１にて読み込む。
【００９４】
9)ガス燃料エンジン１０６が始動し、回転数Ｎが所定回転数Ｎ１（例えば毎分１５０回転）以上となったら、電動ポンプ３０２がＯＦＦ状態になる。なお、ヒータ３０７はこの時に自動でＯＦＦにする場合と、手動にて別タイミングでＯＦＦ状態にする場合がある。電動温調三方弁３０５は、温度計３０９の温度Ｔ１が所定の温度ＴＦ( 例えば80℃) になった後は、前記フィードバック制御にてクーラ３０８に流す機関冷却水の量を調整する状態になる。
【００９５】
〈ＬＮＧタンク減圧運転〉
10) 液化ガス貯蔵タンク１０１にＬＮＧを補充する際やドック入り等の際には、液化ガス貯蔵タンク１０１の圧力を下げるために、エンジンの負荷率を下げ（例えば２５％）、調圧弁１０８の設定値を所定の圧力（例えば０．２５ＭＰａ）まで下げ、電動開閉弁１１２を全開、電動開閉弁１１０を全閉とし、運転をする場合がある。
【００９６】
11) 液化ガス貯蔵タンク１０１の内圧が所定の圧力（例えば０．２５ＭＰａ）まで下がった場合は、電動開閉弁１１２を全閉とし、「ＬＮＧタンク減圧運転」は終了する。
【００９７】
12) 「ＬＮＧタンク減圧運転」終了後は、再び電動開閉弁１１０を全開として運転を継続する場合と、電動開閉弁１１０は全閉のままとし、「運転終了」に移行する場合がある。
【００９８】
〈運転終了〉
13) エンジンの制御装置の「停止動作」ＳＷを手動でＯＮにする。
14) これにより電動開閉弁１０９と電動開閉弁１１０と遮断弁１０５が全閉となる。
15) ガス燃料エンジン１０６の回転数Ｎが下がり、所定回転数Ｎ１未満となったら、電動ポンプ３０２がＯＮになる。
16) 電動ポンプ３０２がＯＮとなった後、所定時間（例えば５分程度）が経過したら、電動ポンプ３０２がＯＦＦになる。
【００９９】
以上説明したように、第２実施形態によれば、海水を冷媒とするクーラ３０８を介在した機関冷却水の冷却バイパス路２０１を、機関冷却水循環路２００のタンク昇圧気化器１０７と供給気化器１０２の下流側に設けたので、当該気化器の上流側に冷却バイパス路２０１を設ける場合に比して、より高温の機関冷却水が前記タンク昇圧気化器１０７と前記供給気化器１０２に流入することになる。したがって、気化器による熱回収率はよくなる。
【０１００】
なお、以上説明したように、第１及び第２実施形態によれば、機付ポンプ３０１が故障した場合、電動ポンプ３０２、３０３を回すことにより、機関冷却水を循環することができる。液化ガス貯蔵タンク１０１の頂部を、電動開閉弁１１２と逆止弁ＣＶを介して供給気化器１０２に接続する燃料ガスライン（導入配管ＰＡ３）は、液化ガス貯蔵タンク１０１の気圧が所定圧力以上になった場合に、電動開閉弁１１２を開くことにより、供給気化器１０２を通過するＬＮＧの供給ライン（排出配管ＰＢ２）に液化ガス貯蔵タンク１０１内の気体（燃料ガス）を逃がすためのラインである。
【０１０１】
３．第３実施形態（図３、請求項１、請求項２及び請求項３に対応）
本実施形態は、デュアルフューエルエンジンとガス専燃エンジンの両方に適用されるものであり、図２と異なる構成を説明する。
【０１０２】
第２実施形態（図２）では、電動ポンプ３０２とヒータ３０７が設けられた加熱バイパス路２０３が、機付ポンプ３０１を迂回するバイパス路として設けられていたが、本実施形態（図３）では、電動ポンプ３０２とヒータ３０７が設けられた加熱バイパス路２０３は機付ポンプ３０１を迂回しておらず、機付ポンプ３０１の上流の機関冷却水循環路２００に設けられたバイパス路となっている。そして、この加熱バイパス路２０３におけるヒータ３０７の下流には逆止弁ＣＶが設けられ、また、この加熱バイパス路２０３によって迂回されている機関冷却水循環路２００の中途にも逆止弁ＣＶが設けられている。
【０１０３】
そして本実施形態（図３）では、機付ポンプ３０１を迂回するバイパス路２０２が機関冷却水循環路２００に設けられている。すなわち、このバイパス路２０２は、機関冷却水循環路２００における機付ポンプ３０１の吸引側及び吐出側にそれぞれ近接した位置を接続する管路である。そして、このバイパス路２０２には逆止弁ＣＶが設けられ、また、この加熱バイパス路２０３によって迂回されている機付ポンプ３０１の吐出側にも逆止弁ＣＶが設けられている。
【０１０４】
本実施形態（図３）は、第２実施形態（図２）と同様、加熱バイパス路２０３及び冷却バイパス路２０１が、タンク昇圧気化器１０７及び供給気化器１０２の下流にある点で共通しており、第２実施形態と略同様の手順で運転することができ、略同様の効果を得ることができる。
【０１０５】
４．第４実施形態（図４、請求項１、請求項２及び請求項４に対応）
本実施形態は、デュアルフューエルエンジンとガス専燃エンジンの両方に適用されるものであり、以下、まず図２乃至図３と異なる構成を説明し、次にガス専焼エンジンとして運転する場合の手順について説明する。
【０１０６】
(1) 構成
第２実施形態（図２）と第３実施形態（図３）は、加熱バイパス路２０３及び冷却バイパス路２０１が、タンク昇圧気化器１０７及び供給気化器１０２の下流にある点で共通していたが、本実施形態（図４）は、加熱バイパス路２０３及び冷却バイパス路２０１が、いずれもタンク昇圧気化器１０７及び供給気化器１０２の上流にある点で、これらの前記各実施形態と相違している。
【０１０７】
すなわち、本実施形態（図４）では、分岐３１１の下流と、タンク昇圧気化器１０７及び供給気化器１０２の上流の間にある機関冷却水循環路２００に、冷却バイパス路２０１が設けられている。また、機関冷却水循環路２００には、この冷却バイパス路２０１及び電動温調三方弁３０５をバイパスするように、加熱バイパス路２０３が設けられている。本実施形態では、電動ポンプ３０２とヒータ３０７が設けられた加熱バイパス路２０３は機付ポンプ３０１を迂回しておらず、機関冷却水循環路２００に設けられたバイパス路となっている点では第３実施形態（図３）と同様である。そして、この加熱バイパス路２０３におけるヒータ３０７の下流には逆止弁ＣＶが設けられており、また、この加熱バイパス路２０３によって迂回されている機関冷却水循環路２００には、電動温調三方弁３０５及び冷却バイパス路２０１の下流側に逆止弁ＣＶが設けられている。
【０１０８】
そして本実施形態（図４）では、第３実施形態（図３）と同様、機付ポンプ３０１を迂回するバイパス路２０２が機関冷却水循環路２００に設けられている。すなわち、このバイパス路２０２は、機関冷却水循環路２００における機付ポンプ３０１の吸引側及び吐出側にそれぞれ近接した位置を接続する管路である。そして、このバイパス路２０２には逆止弁ＣＶが設けられ、また、このバイパス路２０２によって迂回されている機付ポンプ３０１の吐出側にも逆止弁ＣＶが設けられている。
【０１０９】
(2) ガス専焼エンジンとしての運転手順
〈運転準備〉
1)エンジン制御装置の「運転準備」ＳＷを手動でＯＮにしてエンジンの補機類の自動制御用シーケンスを走らせる。
【０１１０】
2)電動温調三方弁３０５は、温度計３０９の温度Ｔ１が所定の温度ＴＦ( 例えば８０℃）となるように、フィードバック制御にてクーラ３０８に流す機関冷却水の量を調整する状態になるが、この状態でも、機関停止中は熱源が無いため、温度計３０９の温度Ｔ１が温度ＴＦを越えることは無く、機関停止中の電動温調三方弁３０５はクーラ３０８側が全閉である。なお、電動温調三方弁３０５は、電動モータにより駆動され、電流信号により開度が調整され、二方向の出口の流量が調整される。
【０１１１】
3)エンジンの補機類の自動制御用シーケンスを走らせた状態で、温度計３０９の温度Ｔ１が所定の温度ＴＬ( 例えば５０℃) であれば、ヒータ３０７、電動ポンプ３０２はＯ
Ｎ状態となる。一方、温度計３０９の温度Ｔ１が所定の温度ＴＨ（例えば６０℃) であ
れば、ヒータ３０７、電動ポンプ３０２はＯＦＦ状態となる。従って、機関冷却水の温
度Ｔ１は、温度ＴＬ( 例えば５０℃）を超え温度ＴＨ（例えば６０℃程度）の状態に保持されるよう制御される。なお、運転準備開始時点において、機関冷却水の温度Ｔ１が、温度ＴＬを超えた状態（例えば６０℃) では、電動ポンプ３０２を作動させない。このため、機関冷却水の温度Ｔ１を正確に測定することができない。しかし、冷却水の熱源はエンジンであり、冷却水が循環していない場合、Ｔ１がエンジンの温度より高くなることはなく、冷却水温度はＴＦ以下であれば問題がない。よって、冷却水温度Ｔ１を精度よく測定するために電動ポンプ３０２をあえて回す必要はない。
【０１１２】
4)エンジン制御装置の「運転準備」ＳＷを手動でＯＮにすると、電動開閉弁１０９と電動開閉弁１１０とが全開となる。
【０１１３】
5)電動開閉弁１０９を通ったＬＮＧは自重でタンク昇圧気化器１０７に流れ、気化・膨張して高圧となる。気化したＬＮＧは、調圧弁１０８で液化ガス貯蔵タンク１０１内のＬＮＧを押し出すように調圧される。
【０１１４】
〈運転開始〉
6)エンジン制御装置の「始動」ＳＷを手動でＯＮにする。制御機器、センサー等の故障のインターロックが掛かっていなければ、始動のシーケンスが走り出し、遮断弁１０５
が開き、液化ガス貯蔵タンク１０１からＬＮＧが押し出される。押し出されたＬＮＧは、電動開閉弁１１０を介して供給気化器１０２を通り、気化される。気化されたＬＮＧは、バッファタンク１０３を介して調圧弁１０４で調圧され、遮断弁１０５を通ってガス専焼エンジンに供給される。なお、気化されたＬＮＧは、バッファタンク１０３の中を通り、発熱量変動が抑制される。バッファタンク１０３の容積は、ガス専焼エンジンが定格負荷運転で３分間に消費する燃料ガスの量と同等以上の容量を保有出来るものが好ましい。調圧弁１０４の出口の圧力はエンジン制御装置によりエンジンの負荷・運転状況に応じて調整される。なお、上記運転準備で機関冷却水の温度Ｔ１が、温度ＴＬの範囲を超え（例えば６０℃) 、温度ＴＨの範囲に入っていても、始動のシーケンスは走り出す。
【０１１５】
7)ガス燃料エンジン１０６が回転し、機付ポンプ３０１、機付ポンプ３１２が回転する。海水は、機付ポンプ３１２が回転することにより船外から取り込まれ、クーラ３０８等に供給され冷却水として用いられた後、船外に排出される。
【０１１６】
8)ガス燃料エンジン１０６の回転数Ｎを回転計１１１にて読み込む。
【０１１７】
9)エンジンが始動し、回転数Ｎが所定回転数Ｎ１（例えば毎分１５０回転）以上とな
ったら、電動ポンプ３０２、ヒータ３０７がＯＦＦ状態になる。電動温調三方弁３０５
は、温度計３０９の温度Ｔ１が所定の温度ＴＦ( 例えば８０℃) となった後は、前記フ
ィードバック制御にてクーラ３０８に流す機関冷却水の量を調整する状態になる。
【０１１８】
〈ＬＮＧタンク減圧運転〉
10) 液化ガス貯蔵タンク１０１にＬＮＧを補充する際やドック入り等の際には、液化ガス貯蔵タンク１０１の圧力を下げるために、エンジンの負荷率を下げ（例えば２５％）、調圧弁１０８の設定値を所定の圧力（例えば０．２５ＭＰａ）まで下げ、電動開閉弁１１２を全開、電動開閉弁１１０を全閉とし、運転をする場合がある。
【０１１９】
11) 液化ガス貯蔵タンク１０１の内圧が所定の圧力（例えば０．２５ＭＰａ）まで下がった場合は、電動開閉弁１１２を全閉とし、「ＬＮＧタンク減圧運転」は終了する。
【０１２０】
12) 「ＬＮＧタンク減圧運転」の終了後は、再び電動開閉弁１１０を全開として運転を継続する場合と、電動開閉弁１１０は全閉のままとし、「運転終了」に移行する場合がある。
【０１２１】
〈運転終了〉
13) エンジンの制御装置の「停止動作」ＳＷを手動でＯＮにする。
14) これにより電動開閉弁１０９と電動開閉弁１１０と遮断弁１０５が全閉となる。
15) ガス燃料エンジン１０６の回転数Ｎが下がり、所定回転数Ｎ１未満となったら、電動ポンプ３０２がＯＮになる。
16) 電動ポンプ３０２がＯＮとなった後、所定時間（例えば５分程度）が経過したら、電動ポンプ３０２がＯＦＦになる。
【０１２２】
以上説明したように、第４実施形態によれば、ヒータ３０７を介在した機関冷却水の加熱バイパス路２０３を、機関冷却水循環路２００のタンク昇圧気化器１０７と供給気化器１０２の上流側に設けたので、両気化器１０７，１０２の下流側に加熱バイパス路２０３を設ける場合に比して、ガス燃料エンジン１０６の始動前にはより高温の機関冷却水が前記タンク昇圧気化器１０７と前記供給気化器１０２に流入することになる。したがって、気化器によるＬＮＧの気化量がより多くなる。
【０１２３】
５．第５実施形態（図５、請求項１、請求項２及び請求項４に対応）
本実施形態は、デュアルフューエルエンジンとガス専燃エンジンの両方に適用されるものであり、第４実施形態（図４）と異なる構成を説明する。
【０１２４】
すなわち、本実施形態（図５）では、クーラ３０８を介在した機関冷却水の冷却バイパス路２０１と、ヒータ３０７を介在した機関冷却水の加熱バイパス路２０３が、機関冷却水循環路２００のタンク昇圧気化器１０７と供給気化器１０２の上流側に設けられている点において、第４実施形態（図４）と構成が共通しているが、次の点において異なっている。すなわち、本実施形態（図５）では、加熱バイパス路２０３の最上流と機関冷却水循環路２００の分岐点には電動三方弁３０４が設けられており、この電動三方弁３０４の流路の切り換えにより、加熱バイパス路２０３の選択的な使用が可能となっている。このため、加熱バイパス路２０３と、加熱バイパス路２０３によって迂回されている機関冷却水循環路２００には、第４実施形態（図４）の同位置に見られるような逆止弁ＣＶは存在しない。
【０１２５】
また、本実施形態（図５）では、第４実施形態（図４）と同様、機付ポンプ３０１を迂回するバイパス路２０２が機関冷却水循環路２００に設けられているが、当該バイパス路２０２の最上流と機関冷却水循環路２００の分岐点には電動三方弁３０６が設けられており、この電動三方弁３０６の流路の切り換えにより、当該バイパス路２０２の選択的な使用が可能となっている。このため、バイパス路２０２と、バイパス路２０２によって迂回されている機関冷却水循環路２００には、第４実施形態（図４）の同位置に見られるような逆止弁ＣＶは存在しない。
【０１２６】
本実施形態（図５）は、第４実施形態（図４）と同様、加熱バイパス路２０３及び冷却バイパス路２０１が、タンク昇圧気化器１０７及び供給気化器１０２の上流にある点で共通しており、第４実施形態と略同様の手順で運転することができ、略同様の効果を得ることができる。
【０１２７】
６．第６実施形態（図６、請求項１、請求項２、請求項４及び請求項６に対応）
本実施形態は、デュアルフューエルエンジンとガス専燃エンジンの両方に適用されるものであり、第４実施形態（図４）と異なる構成を説明する。
【０１２８】
すなわち、本実施形態（図６）では、クーラ３０８を介在した機関冷却水の冷却バイパス路２０１と、ヒータ３０７を介在した機関冷却水の加熱バイパス路２０３が、機関冷却水循環路２００のタンク昇圧気化器１０７と供給気化器１０２の上流側に設けられている点において、第４実施形態（図４）と構成が共通しているが、次の点において異なっている。すなわち、本実施形態（図６）では、加熱バイパス路２０３において、ヒータ３０７の下流側に電動三方弁３０４が設けられ、その電動三方弁３０４の第１の出口が逆止弁ＣＶを介して機関冷却水循環路２００に接続されていると共に、当該接続点の上流近傍の機関冷却水循環路２００にも逆止弁ＣＶが設けられている。そして、この電動三方弁３０４の第２の出口が、機付ポンプ３０１を迂回するバイパス路２０２の逆止弁ＣＶの上流側に接続されている。このような構成によれば、この電動三方弁３０４を切り換えることにより、デュアルフューエルエンジンとして使用する場合の暖機時に冷却水を両気化器１０７，１０２に回さずに直接エンジンに戻すルートを選択することができ、またデュアルフューエルエンジンにおけるＧＥモード又はガス専燃エンジンとして使用する場合に、機関冷却水が機付ポンプ３０１をバイパスして循環するようにすることができる。
【０１２９】
本実施形態（図６）は、第４実施形態（図４）及び第５実施形態（図５）と同様、加熱バイパス路２０３及び冷却バイパス路２０１が、タンク昇圧気化器１０７及び供給気化器１０２の上流にある点で共通しており、第４及び第５実施形態と略同様の手順で運転することができ、略同様の効果を得ることができる。
【０１３０】
７．第７実施形態（図７、請求項１、請求項２及び請求項６に対応）
本実施形態は、デュアルフューエルエンジンに適用されるものであり、ガス専燃エンジンには適用できない。以下、まず第６実施形態（図６）と異なる構成を説明し、次に運転手順について説明する。
【０１３１】
(1) 構成
デュアルフューエルエンジンとガス専燃エンジンの両方に適用できる第６実施形態（図６）では、前述したように加熱バイパス路２０３に設けた電動温調三方弁３０４を切り換えることにより、機関冷却水を両気化器１０７，１０２に回すか、これらをバイパスしてエンジンに戻すかを選択することができた。しかしながら、本実施形態はデュアルフューエルエンジンのみに適用されるものであるため、加熱バイパス路２０３には電動温調三方弁は存在せず、加熱バイパス路２０３の下流側は逆止弁ＣＶを介して機付ポンプ３０１の吐出側に接続されている。すなわち、デュアルフューエルエンジンは始動時にはＤＥモードで駆動するため、燃料ガスは不要であるから、船舶の停止中にエンジンを暖機するためには機関冷却水を単に循環させればよく、ＬＮＧを加熱して燃料ガスを発生させる必要はない。このため、ヒータ３０７で加熱した機関冷却水は両気化器１０７，１０２に回すことなく、下流のエンジンに直接戻せばよい。
【０１３２】
(2) デュアルフューエルエンジンであるガスエンジンの運転手順
〈運転準備〉
1)エンジン制御装置の「運転準備」ＳＷを手動でＯＮにしてエンジンの補機類の自動制御用シーケンスを走らせる。
【０１３３】
2)電動温調三方弁３０５は、温度計３０９の温度Ｔ１が所定の温度ＴＦ( 例えば８０℃）となるように、フィードバック制御にてクーラ３０８に流す機関冷却水の量を調整する状態になるが、この状態でも、機関停止中は熱源が無いため、温度計３０９の温度Ｔ１が温度ＴＦを越えることは無く、機関停止中の電動温調弁３０５はクーラ３０８側が全閉である。なお、電動温調三方弁３０５は、電動モータにより駆動され、電流信号により開度が調整され、二方向の出口の流量が調整される。
【０１３４】
3)エンジンの補機類の自動制御用シーケンスを走らせた状態で、温度計３０９の温度Ｔ１が所定の温度ＴＬ以下( 例えば４０℃）であれば、ヒータ３０７、電動ポンプ３０２はＯＮ状態となる。一方、温度計３０９の温度Ｔ１が所定の温度ＴＨ( 例えば６０℃) であれば、ヒータ３０７、電動ポンプ３０２はＯＦＦ状態となる。従って、機関冷却水の温度Ｔ１は、温度ＴＬ( 例えば５０℃）を超え温度ＴＨ（例えば６０℃程度）の状態に保持されるよう制御される。なお、運転準備開始時点において、機関冷却水の温度Ｔ１が、温度ＴＬ（例えば５０℃）であれば電動ポンプ３０２を作動させない。このため、機関冷却水の温度Ｔ１を正確に測定することができない。しかし、冷却水の熱源はエンジンであり、冷却水が循環していない場合、Ｔ１がエンジンの温度より高くなることはなく、冷却水温度はＴＦよりも低ければ問題がない。よって、冷却水温度Ｔ１を精度よく測定するために電動ポンプ３０２をあえて回す必要はない。
【０１３５】
〈運転開始〉
4)エンジン制御装置の「始動」ＳＷを手動でＯＮにする。制御機器、センサー等の故障のインターロックが掛かっていなければ、始動のシーケンスが走り出し「ＤＥモード」の運転となる。なお、上記運転準備で機関冷却水の温度Ｔ１が、温度ＴＬの範囲を超え（例えば６０℃) 、温度ＴＨの範囲に入っていても、始動のシーケンスは走り出す。
【０１３６】
5)ガス燃料エンジン１０６が回転し、機付ポンプ３０１、機付ポンプ３１２が回転する。海水は、機付ポンプ３１２が回転することにより船外から取り込まれ、クーラ３０８等に供給され冷却水として用いられた後、船外に排出される。
【０１３７】
6)ガス燃料エンジン１０６の回転数Ｎを回転計１１１にて読み込む。
【０１３８】
7)エンジンが始動し、回転数Ｎが所定回転数Ｎ１（例えば毎分１５０回転）以上となったら、電動ポンプ３０２、ヒータ３０７がＯＦＦ状態になる。電動温調三方弁３０５は、温度計３０９の温度Ｔ１が所定の温度ＴＦ( 例えば８０℃）となれば、前記フィードバック制御にてクーラ３０８に流す機関冷却水の量を調整する状態になる。
【０１３９】
〈ガス運転開始〉
8)エンジン制御装置の運転モードを手動で「ＧＥモード」にする。すると電動開閉弁１０９と電動開閉弁１１０とが全開となると共に、遮断弁１０５が開く。ただし、機関冷却水温度Ｔ１が、温度範囲ＴＨを下回っている場合（例えば５０℃）は、自動でキャンセルされ「ＤＥモード」になる。なお、初めての運転等、配管内にＬＮＧ気化ガスが無い場合（調圧弁１０４の上流の図示しない圧力計が所定圧以上になっていない場合）、ＧＥモードになった時からタイマーが作動し、所定時間（例えば数十秒）後に、遮断弁１０５が開くようになっている。
【０１４０】
9)電動開閉弁１０９を通ったＬＮＧは自重でタンク昇圧気化器１０７に流れ、気化・膨張して高圧となる。気化したＬＮＧは、調圧弁１０８で液化ガス貯蔵タンク１０１内のＬＮＧを押し出すように調圧される。液化ガス貯蔵タンク１０１の外に押し出されたＬＮＧは、電動開閉弁１１０を介して供給気化器１０２を通り、気化される。気化されたＬＮＧは、バッファタンク１０３を介して調圧弁１０４で調圧され、遮断弁１０５を通ってデュアルフューエルエンジンに供給用される。
【０１４１】
10) なお、気化されたＬＮＧは、バッファタンク１０３の中を通り、発熱量変動が抑制される。バッファタンク１０３の容積は、デュアルフューエルエンジンが定格負荷運転で例えば３分間に消費する燃料ガスの量と同等以上の容量を保有出来るものが好ましい。
【０１４２】
11) 調圧弁１０４の出口の圧力はエンジン制御装置によりエンジンの負荷・運転状況に応じて調整される。
以上によりガス燃料にての運転となる。
【０１４３】
〈ＬＮＧタンク減圧運転〉
12) 液化ガス貯蔵タンク１０１にＬＮＧを補充する際やドック入り等の際には、液化ガス貯蔵タンク１０１内の圧力を下げるために、「ＧＥモード」にて、エンジンの負荷率を下げ（例えば２５％）、調圧弁１０８の設定値を所定の圧力（例えば０．２５ＭＰａ）まで下げ、電動開閉弁１１２を全開、電動開閉弁１１０を全閉とし、運転をする場合がある。
【０１４４】
13) 液化ガス貯蔵タンク１０１内の圧力が所定の圧力（例えば０．２５ＭＰａ）まで下がった場合は、電動開閉弁１１２を全閉とし、「ＬＮＧタンク減圧運転」は終了する。
【０１４５】
14) 「ＬＮＧタンク減圧運転」終了後は、再び電動開閉弁１１０を全開としてＧＥモードを継続する場合と、電動開閉弁１１０は全閉のままとし、「ガス運転終了」に移行する場合がある。
【０１４６】
〈ガス運転終了〉
15) エンジン制御装置の運転モードを「ＧＥモード」から「ＤＥモード」に手動で切り替える。なお、ガス運転用機器が故障した場合は自動で「ＤＥモード」に切り替わるようにしてもよい。
【０１４７】
16) これにより電動開閉弁１０９と電動開閉弁１１０と遮断弁１０５が全閉となる。
以上により、ディーゼル燃料による運転となる。
【０１４８】
〈運転終了〉
17) エンジンの制御装置の「停止動作」ＳＷを手動でＯＮにする。
18) ガス燃料エンジン１０６の回転数Ｎが下がり、所定回転数Ｎ１未満となったら、電動ポンプ３０２がＯＮになる。
19) 電動ポンプ３０２がＯＮとなった後、所定時間（例えば５分程度) が経過したら、電動ポンプ３０２がＯＦＦになる。
【０１４９】
以上説明したように、第７実施形態によれば、デュアルフューエルエンジンにおいて、液化ガス貯蔵タンク１０１内を昇圧するタンク昇圧気化器１０７と、液化ガス貯蔵タンク１０１からの液化ガス燃料を気化してガス燃料エンジン１０６に供給する供給気化器１０２の両方に機関冷却水を通し、機関冷却水の熱を有効に利用して両気化器１０７，１０２において液化ガスを加熱するようにした。これにより、液化ガス貯蔵タンク１０１内を所定の圧力に維持して、その圧力で液化ガス燃料を供給気化器１０２に的確に供給でき、デュアルフューエルエンジンであるガス燃料エンジン１０６の高負荷運転に際しても十分なＬＮＧガス量をガス燃料エンジン１０６に供給することができる。
【０１５０】
８．各実施形態に共通の構成について（図８及び９、請求項９及び１０に対応）
1)脱気膨張タンク３１０等について（図８）
分岐３１１は管状の部材であり、内部は空洞である。その頂部内面は泡が溜まらないように曲面形状となっている。エンジンの冷却水出口ＯＵＴに接続された機関冷却水循環路２００の上流側は、分岐３１１の周壁中央に対して略直交するように接続されている。分岐３１１の上側出口からの配管Ｒ２は脱気膨張タンク３１０の底部を貫通して底部の上方まで延設されており、分岐３１１の下側出口は機関冷却水循環路２００の下流側に接続されている。脱気膨張タンク３１０は機関冷却水循環路２００の最も高い位置に配置される。脱気膨張タンク３１０は略円筒形の容器であり、その上面は直接又は間接的に外気に解放されている。脱気膨張タンク３１０の内部は、縦の仕切り板５０によって２つの空間Ｓ１，Ｓ２に分けられているが、仕切り板５０の下の隅部は切り欠かれて解放されているため、その２つの空間Ｓ１，Ｓ２は互いに連通しており、水は両空間Ｓ１，Ｓ２の間を自由に移動できる。そして、前述したように、分岐３１１の上側出口からの配管Ｒ２は、脱気膨張タンク３１０の一方の空間Ｓ１に連通するように、底板を一方の位置で貫通しており、当該配管Ｒ２の開口は当該タンク３１０内において底板よりも上方の位置にある。また、機関冷却水循環路２００の下流側につながる戻り管Ｒ１は、脱気膨張タンク３１０の他方の空間Ｓ２に連通するように、底板の他方の位置に接続開口されている。
【０１５１】
以上の構成において、機関冷却水循環路２００から分岐３１１中に入った機関冷却水は、分岐３１１の周壁の内面に衝突して上下に分かれるとともに、水に含まれていた気体成分は分離されて泡として顕在化する。上方に導かれた機関冷却水及び前記泡は上方にある脱気膨張タンク３１０の一方の空間Ｓ１に入る。泡は脱気膨張タンク３１０内の水中を上昇して大気中に解放される。分岐３１１の周壁の内面に衝突して気体成分が除かれ、下方に導かれた機関冷却水は、機関冷却水循環路２００の下流側に流れていく。
【０１５２】
脱気膨張タンク３１０内の機関循環水は、泡が導かれた一方の空間Ｓ１とは仕切り板５０で隔離された他方の空間Ｓ２の最低部から、戻り管Ｒ１を経て機関冷却水循環路２００へ戻る。ここで、一方の空間Ｓ１において、泡が導入される位置は底板よりも上方であり、仕切り板５０で当該一方の空間Ｓ１から隔離された他方の空間Ｓ２において、水を導出する戻り管Ｒ１は最も低い底板に開口している。このため、脱気膨張タンク３１０の内部において、一方の空間Ｓ１の内部の相対的に高い位置で放出された泡が、これとは隔離された他方の空間Ｓ２に移動し、その最も低い底板に開口した戻り管Ｒ１に入り込む可能性は低い。従って、機関循環水中の気体すなわち泡は確実に外界に放出、除去され、機関冷却水循環路２００に再び戻ることはない。
【０１５３】
なお、供給気化器１０２の不具合により、ＬＮＧが気化されて生成された燃料ガスが機関循環水中に混入する可能性を考慮しなければならない場合が考えられる。そのような不具合が仮に発生したとしても、機関循環水に混入した燃料ガスは、この脱気膨張タンク３１０内に集められて放散されるため、脱気膨張タンク３１０の解放された上部付近にガス検知手段を設けて燃料ガスを検知できるようにしておけば、上述したような供給気化器１０２の不具合が仮に発生したとしても、遅滞なくこれを検知して必要な安全処置を講じることができ、危険の発生を未然に回避することができる。具体的には、デュアルフューエルエンジンとして運転している場合には、ＧＥモードからＤＥモードに切り換えることで危険を回避でき、ガス専燃エンジンとして運転している場合には、運転を直ちに停止することで危険を回避することができる。
【０１５４】
2)バッファタンク１０３による発熱量変動の抑制効果について（図９）
気化されたＬＮＧは、バッファタンク１０３の中を通ることにより発熱量の変動が抑制される。前記各実施形態において、各図に示したように、ガス燃料の供給系にはバッファタンク１０３が設けられている。このバッファタンク１０３の入口側と出口側には、図示はしないが、それぞれ発熱量計が設けられている。この発熱量計の指示値の時間的変動を示すグラフによってバッファタンク１０３による発熱量の変動抑制の作用、効果を説明する。
【０１５５】
図９（ａ）はバッファタンク１０３の入口側に設けられた発熱量計の指示値の時間変化を示しており、図９（ｂ）はバッファタンク１０３の出口側に設けられた発熱量計の指示値の時間変化を示している。この発熱量計はガスの密度から発熱量を所定の基準値との比較値（相対値）で示すことができ、いずれのグラフも各実施形態のシステムを起動してから４０分経過するまでの変動を一例として示している。
【０１５６】
各実施形態のシステムにおいてガス燃料エンジン１０６を運転した場合、船舶の運行状況その他の条件の変動等に起因してエンジンの運転出力には変動が生じるのが普通である。このため、機関冷却水循環路２００を循環する機関冷却水の温度にも変動が生じることは避けられず、供給気化器１０２においてＬＮＧを気化する機関冷却水のエネルギーにも変動が生じ、その結果、ＬＮＧを気化して得られる燃料ガスの成分には変動が生じる。なぜなら、ＬＮＧに熱を与えて気化した場合、燃料ガスにはメタン、ブタン等の各種ガス成分が含まれるが、その与える熱の多寡によってガス成分の構成比率が変動するからであり、その結果として得られた燃料ガスとしての発熱量には変動が生じる。このような状態は、エンジンを運転する際には好ましくないので、エンジンに供給される燃料ガスの発熱量はなるべく均一であることが好ましい。
【０１５７】
そこで、各実施形態においては、供給気化器１０２とガス燃料エンジン１０６の間に相当量の燃料ガスを貯えられるバッファタンク１０３を設けた。これにより、供給気化器１０２から供給される燃料ガスに発熱量の変動があったとしても、これをバッファタンク１０３に貯蔵することにより混合し、均一な状態にしてから送り出すことができる。すなわち、バッファタンク１０３から供給される燃料ガスは、発熱量が均一化されており、従ってガス燃料エンジン１０６の出力が安定化する。
【０１５８】
図９（ａ）に示すように、バッファタンク１０３に送り込まれる供給気化器１０２からの燃料ガスは発熱量の時間変動が大きい。特にエンジンの始動時には発熱量が大きく変動し、０．９５から１．０９もの変動幅があり、さらに始動後、相当の時間が経過しても変動幅は０．９６から１．０２よりも小さくなることはない。
【０１５９】
これに対し、図９（ｂ）に示すように、バッファタンク１０３からエンジンに供給される燃料ガスは発熱量の時間変動が小さく、安定している。エンジンの始動時には発熱量の変動幅が１．００から１．０２と小さく、さらに始動後、１０分経過以降はほとんど発熱量の変動がなく、安定している。
【０１６０】
このため、各実施形態のシステムによれば、各項にて説明した通り、機関冷却水の熱を有効に利用して製造した燃料ガスにより液化ガス貯蔵タンク１０１内を所定の圧力に維持し、その圧力で液化ガス燃料を供給気化器１０２に的確に供給し、機関冷却水の熱を有効利用してガス燃料を的確に生成することができるため、ガス燃料エンジン１０６の高負荷運転に際して十分な燃料ガスをガス燃料エンジン１０６に供給できる効果が得られるわけであるが、さらに、燃料ガスを一旦バッファタンク１０３に貯めて燃料ガスの発熱量を安定化させてから供給することにより、ガス燃料エンジン１０６の運転がさらに一層安定化するという顕著な相乗効果を得ることができる。
【０１６１】
９．各実施形態と請求項の対応について
各実施形態に関する以上の説明（項目番号１〜８）では、各項目の表題において各実施形態に対応する請求項の番号を示したが、これは例示であり、その中には各実施形態に対応するものとして示していないものもある。しかしながら、各実施形態の項目の表題に示していない請求項に係る発明の内容も、当該請求項の記載及び明細書の記載の全趣旨を参照すれば、本願の開示の範囲内のものであることは明らかである。
【０１６２】
すなわち、請求項２は、請求項３乃至６に記載された発明の内容をより上位の概念で記載した内容であり、本明細書の記載、例えば実施形態２乃至８の内容により十分にサポートされている。
【０１６３】
また、請求項５は、冷却バイパス路２０１が前記両気化器１０７，１０２の下流にあり、加熱バイパス路２０３が前記両気化器１０７，１０２の上流にある点を構成要件としており、従って請求項３乃至４に記載された発明の各構成要件を適宜組み合わせて得られる内容であり、本明細書の記載、例えば実施形態２乃至５及び８の内容によりに十分にサポートされている。
【０１６４】
また、言うまでもなく、従属項である請求項７、８、１１の各内容については各実施形態中で十分に説明されている。
【符号の説明】
【０１６５】
１０１…液化ガス貯蔵タンク
１０２…供給気化器
１０３…バッファタンク
１０６…ガス燃料エンジン
１０７…タンク昇圧気化器
２００…機関冷却水循環路
２０１…冷却バイパス路
２０３…加熱バイパス路
２０２…機付ポンプを迂回するバイパス路
３０２…機関冷却水を循環移送する電動ポンプ
３０７…ヒータ
３０８…クーラ
３１０…脱気膨張タンク
ＰＡ３…燃料ガスラインとしての導入配管
ＣＶ…逆止弁
【図１】
0006310265.tif 000002
【図２】
0006310265.tif 000003
【図３】
0006310265.tif 000004
【図４】
0006310265.tif 000005
【図５】
0006310265.tif 000006
【図６】
0006310265.tif 000007
【図７】
0006310265.tif 000008
【図８】
0006310265.tif 000009
【図９】
0006310265.tif 000010